(57)【要約】【課題】  予備接点を必要としないと共に、切り換える接点を直接監視できるようにする。【解決手段】  接点部１０ａにおける可動接点ａがチョークコイルＣＨ１を介して直流抵抗検出回路１４のＡに接続されていると共に、固定接点ｂはチョークコイルＣＨ２を介して直流抵抗検出回路１４のＢに、固定接点ｃはチョークコイルＣＨ３を介して直流抵抗検出回路１４のＣに接続されている。Ａ−Ｂ間の直流抵抗と、Ａ−Ｃ間の直流抵抗が直流抵抗検出回路１４で検出され、検出された直流抵抗に基づいて可動接点ａの切換状態を示すアンサーバック信号ＡＢが生成される。【選択図】  図２
2011049081.tif 000002
【特許請求の範囲】
【請求項１】
接点部と、接点部を切り換える駆動コイルとを備え、前記接点部は、可動接点と、該可動接点が切り換えられる第１固定接点および第２固定接点を有するラッチングリレーと、
該ラッチングリレーの前記駆動コイルに所定の駆動パルス電圧を印加することにより、前記接点部における接点の切換状態を切り換える駆動回路と、
前記接点部における前記可動接点、前記第１固定接点および前記第２固定接点に、それぞれ直流阻止用の素子を介して接続されている信号が入力あるいは出力される端子と、
前記接点部における前記可動接点と前記第１固定接点との間、および、前記可動接点と前記第２固定接点との間に直流を印加し、検出した接点間の直流抵抗に基づいて前記可動接点の切換状態を示すアンサーバック信号を生成する直流抵抗検出回路と、
を備えることを特徴とするラッチングリレー回路。
【請求項２】
ユーザ操作による切換信号を受けて切換指令信号を前記駆動回路に供給すると共に、前記切換信号に応じた切換情報を判定回路に供給する切換制御回路と、
該切換制御回路からの前記切換情報と、前記アンサーバック信号が示す前記可動接点の切換状態が一致する場合は正常と判断し、不一致の場合は異常と判断してアラーム信号を出力するアラーム判定回路とをさらに備え、
前記駆動回路は、切換指令信号に応じた駆動パルス電圧を前記駆動コイルに印加することを特徴とする請求項１記載のラッチングリレー回路。
【発明の詳細な説明】
【技術分野】
【０００１】
本発明は、ラッチングリレーの切り換え状態を監視するアンサーバック回路が設けられているラッチングリレー回路に関する。
【背景技術】
【０００２】
従来、現用機と予備機とを備え、通常時には現用機を使用するが、この現用機が故障した際には予備機に切り換えるようにしたシステムが知られている。このシステムにおいて、現用機に続いて予備機も故障した場合や、供給電源が停止されて現用機および予備機が動作不能状態になった場合は、現用機および予備機を迂回するようにして、信号が途絶されることを防止している。
現用機と予備機とを切り換える切換器として無接点型の半導体スイッチや接点を有するリレーが知られている。リレーには、駆動コイルを駆動している間だけリレー接点が切り換わるシングルステーブル型のリレーや、駆動コイルを駆動する毎にリレー接点が切り換わるラッチングリレーが知られている。
【０００３】
ところで、半導体スイッチを切換器として用いると、供給電源が停止した場合に切換器としての機能が失われてしまう。そして、供給電源が停止した場合は切換器の機能が失われることから、現用機および予備機を迂回するルートに切り換えることができないようになる。また、シングルステーブル型のリレーを切換器として用いると、駆動コイルを駆動する切換状態を維持するためには、駆動コイルを駆動し続ける必要がある事から、駆動コイルが発熱して断線したり、可動部分が磁化してリレー接点を復帰させるバネの反発力が減少する等の問題があり、長期間連続運用時の信頼性が充分ではなかった。
【０００４】
一方、ラッチングリレーは、通常、数１０ミリ秒から数百ミリ秒のパルス性の電圧を駆動コイルに印加してリレー接点を切り換え、その後は無通電でリレー接点の切り換わり状態を保持し続けることができる。この場合、電源バックアップ用の簡単な充電電源を電源回路に付加することで、停電時には充電電源を用いてリレー接点の切り換えを行うことができるため、停電時においても現用機および予備機を迂回するルートに切り換えることができる。しかも、駆動コイルを切換時にのみ駆動すれば良いため、充電電源は小容量の電源とすることができる。このため、ラッチングリレーを現用機と予備機との切換器として用いた際に、半導体スイッチやシングルステーブル型のリレーの欠点を補うことができる。
【発明の概要】
【発明が解決しようとする課題】
【０００５】
しかしながら、ラッチングリレーでは、駆動コイルに切換時にのみ駆動用のパルス電圧を印加しており、切り換え後には駆動コイルに通電しないため、駆動コイルへの通電状態を検出してもリレー接点の切換状態を検出することができないという問題点があった。そこで、従来はラッチングリレーの切換状態を把握することのできるアンサーバック回路がリレー回路に設けられている。
図４に、従来のアンサーバック回路が設けられているラッチングリレー回路を示す。
図４において、ラッチングリレー１１０は２回路２接点の接点部１１０ａと第１の駆動コイルＭＧ１と第２の駆動コイルＭＧ２とを備えている。第１の駆動コイルＭＧ１と第２の駆動コイルＭＧ２とは切換駆動パルス出力回路１１１により駆動されている。例えば、切換駆動パルス出力回路１１１から駆動パルス電圧が第１の駆動コイルＭＧ１に印加されると、接点部１１０ａにおける可動接点ａ１０１は固定接点ｂ１０１側へ切り換えられると共に、可動接点ａ１０２は固定接点ｂ１０２側へ連動して切り換えられる。また、切換駆動パルス出力回路１１１から駆動パルス電圧が第２の駆動コイルＭＧ２に印加されると、接点部１１０ａにおける可動接点ａ１０１は固定接点ｃ１０１側へ切り換えられると共に、可動接点ａ１０２は固定接点ｃ１０２側へ連動して切り換えられる。
【０００６】
可動接点ａ１０１には端子Ｔ１が接続されており、固定接点ｂ１０１には端子Ｔ２が接続されており、固定接点ｃ１０１には端子Ｔ３が接続されている。これにより、切換駆動パルス出力回路１１１から駆動パルス電圧が第１の駆動コイルＭＧ１に印加されると、可動接点ａ１０１は固定接点ｂ１０１側へ切り換えられて、端子Ｔ１と端子Ｔ２とが接続されるようになり、切換駆動パルス出力回路１１１から駆動パルス電圧が第２の駆動コイルＭＧ２に印加されると、可動接点ａ１０１は固定接点ｃ１０１側へ切り換えられて、端子Ｔ１と端子Ｔ３とが接続されるようになる。このように、可動接点ａ１０１が固定接点ｂ１０１側に切り換えられているのか固定接点ｃ１０１側へ切り換えられているのかを検出するために、可動接点ａ１０２、固定接点ｂ１０２および固定接点ｃ１０２が直流抵抗検出回路１１４に接続されている。この場合、直流抵抗検出回路１１４のＡ入力端子に可動接点ａ１０２が接続され、Ｂ入力端子に固定接点ｂ１０２が接続され、Ｃ入力端子に固定接点ｃ１０２が接続されて、Ａ入力端子とＢ入力端子間の直流抵抗とＡ入力端子とＣ入力端子間の直流抵抗とが、直流抵抗検出回路１１４で検出される。この場合、Ａ−Ｂ入力端子間の直流抵抗がほぼゼロでＡ−Ｃ入力端子間の直流抵抗がほぼ無限大と検出された場合は、ラッチングリレー１１０は可動接点ａ１０１が固定接点ｂ１０１側へ切り換えられているとのアンサーバック信号ＡＢが生成され、Ａ−Ｂ入力端子間の直流抵抗がほぼ無限大でＡ−Ｃ入力端子間の直流抵抗がほぼゼロと検出された場合は、ラッチングリレー１１０は可動接点ａ１０１が固定接点ｃ１０１側へ切り換えられているとのアンサーバック信号ＡＢが生成される。生成されたアンサーバック信号ＡＢはＡＬＭ判定回路１１３に供給される。
【０００７】
ＡＬＭ判定回路１１３はラッチングリレー回路の動作が異常状態の場合にアラーム（ＡＬＭ）を出力する回路であり、切換制御回路１１２からの切換情報ＳＩも供給されている。そして、ＡＬＭ判定回路１１３は切換制御回路１１２からの切換情報ＳＩと直流抵抗検出回路１１４からのアンサーバック信号ＡＢとが一致している場合は正常と判定し、不一致の場合は異常と判定してＡＬＭ信号を出力する。なお、切換制御回路１１２は、入力端子ＩＮに入力された切換信号を受けて、切換信号に応じた切換指令信号ＳＷを切換駆動パルス出力回路１１１に供給すると共に、切換信号に応じた切換情報ＳＩをＡＬＭ判定回路１１３に供給している。このように、図４に示すラッチングリレー回路においては、接点部１１０ａの接点ａ１０２，ｂ１０２，ｃ１０２からなる予備接点を利用してアンサーバック信号ＡＢを生成している。なお、ラッチングリレー回路における各部には充電電源１１６でバックアップされた電源回路１１５から電源が供給されており、停電時においては充電電源１１６から各部へ短時間ではあるが電源が供給される。このため、停電時においてもラッチングリレー回路を動作させて、ラッチングリレー１１０を切り換えることができる。そして、充電電源１１６が停止されても切り換えられたラッチングリレー１１０の接点部１１０ａはその接点の切換状態を維持する。
【０００８】
しかしながら、図４に示すラッチングリレー回路においては、アンサーバックのためにラッチングリレー１１０の接点部１１０ａに予備接点が設けられていなければならず、ラッチングリレーが高価になると共に大型化してしまうという問題点があった。また、端子Ｔ１，Ｔ２，Ｔ３を切り換えている接点（ａ１０１，ｂ１０１，ｃ１０１）の切換状態を、予備接点（ａ１０２，ｂ１０２，ｃ１０２）の切換状態を見ることで間接的に監視していることから、信頼性に劣るという問題点があった。
そこで、本発明は予備接点を必要としないと共に、切り換える接点を直接監視することのできるラッチングリレー回路を提供することを目的としている。
【課題を解決するための手段】
【０００９】
本発明のラッチングリレー回路は、接点部と、接点部を切り換える駆動コイルとを備え、前記接点部は、可動接点と、該可動接点が切り換えられる第１固定接点および第２固定接点を有するラッチングリレーと、該ラッチングリレーの前記駆動コイルに所定の駆動パルス電圧を印加することにより、前記接点部における接点の切換状態を切り換える駆動回路と、前記接点部における前記可動接点、前記第１固定接点および前記第２固定接点に、それぞれ直流阻止用の素子を介して接続されている信号が入力あるいは出力される端子と、前記接点部における前記可動接点と前記第１固定接点との間、および、前記可動接点と前記第２固定接点との間に直流を印加し、検出した接点間の直流抵抗に基づいて前記可動接点の切換状態を示すアンサーバック信号を生成する直流抵抗検出回路とを備えることを最も主要な特徴としている。
【発明の効果】
【００１０】
本発明によれば、接点部における可動接点と第１固定接点との間、および、可動接点と第２固定接点との間に直流を印加し、検出した接点間の直流抵抗に基づいて可動接点の切換状態を示すアンサーバック信号を生成している。このことから、切り換える接点を直接監視してアンサーバック信号を生成できることから、信頼性を向上することができる。
【図面の簡単な説明】
【００１１】
【図１】本発明の実施例のラッチングリレー回路が適用されたＲＦ増幅装置の構成を示す回路図である。
【図２】本発明の第１実施例のラッチングリレー回路を示す回路図である。
【図３】本発明の第２実施例のラッチングリレー回路を示す回路図である。
【図４】従来のラッチングリレー回路を示す回路図である。
【発明を実施するための形態】
【００１２】
本発明の実施例のラッチングリレー回路が適用されたＲＦ増幅回路の回路構成を図１に示す。
図１に示す本発明にかかるＲＦ増幅装置１は、現用機の増幅器（ＡＭＰ１）と予備機の増幅器（ＡＭＰ２）とを備え、通常は現用機とされるＡＭＰ１を使用して入力された高周波（ＲＦ）信号を増幅して出力し、ＡＭＰ１が故障した際に予備機とされるＡＭＰ２に切り換えてＡＭＰ２により入力されたＲＦ信号を増幅して出力している。以下に、ＲＦ増幅装置１の構成を詳細に説明する。なお、ＲＦ増幅装置１においてはラッチングリレーからなる第１の高周波切換器（ＲＦＳＷ１）ないし第４の高周波切換器（ＲＦＳＷ４）が用いられており、図示する切換状態は現用機とされるＡＭＰ１を使用する状態とされている。ただし、第１の高周波切換器（ＲＦＳＷ１）ないし第４の高周波切換器（ＲＦＳＷ４）とされる４つのラッチングリレーは接点だけを示しており、そのラッチングリレー回路は省略している。
【００１３】
ＲＦ増幅装置１において、入力端子（ＩＮＰＵＴ）に入力されたＲＦ信号は、第１の高周波切換器（ＲＦＳＷ１）の可動接点ａ１に入力される。可動接点ａ１は図示するように固定接点ｃ１側に切り換えられており、ＲＦＳＷ１の固定接点ｃ１からＲＦ信号が出力されて、第２の高周波切換器（ＲＦＳＷ２）の可動接点ａ２に入力される。可動接点ａ２は図示するように固定接点ｃ２側に切り換えられており、ＲＦＳＷ２の固定接点ｃ２からＲＦ信号が出力されて、現用機とされるＡＭＰ１に入力される。ＡＭＰ１において増幅されたＲＦ信号は第３の高周波切換器（ＲＦＳＷ３）の固定接点ｃ３に入力される。ＲＦＳＷ３の可動接点ａ３は図示するように固定接点ｃ３側に切り換えられていることから、固定接点ｃ３に入力されたＲＦ信号は可動接点ａ３を介してＲＦＳＷ３から出力されて、第４の高周波切換器（ＲＦＳＷ４）の固定接点ｃ４に入力される。ＲＦＳＷ４の可動接点ａ４は図示するように固定接点ｃ４側に切り換えられていることから、固定接点ｃ４に入力されたＲＦ信号は可動接点ａ４を介してＲＦＳＷ４から出力されて、出力端子（ＯＵＴＰＵＴ）から出力される。
【００１４】
ここで、現用機であるＡＭＰ１に故障が発生した場合は、ユーザは現用機から予備機へ切り換えるボタン等の操作子を操作する。これにより、切換信号が発生されてＲＦＳＷ２およびＲＦＳＷ３が切り換えられるようになる。すなわち、ＲＦＳＷ２の可動接点ａ２に入力されたＲＦ信号は切り換えられた固定接点ｂ２から出力されて、予備機とされるＡＭＰ２に入力される。ＡＭＰ２において増幅されたＲＦ信号は第３の高周波切換器（ＲＦＳＷ３）の固定接点ｂ３に入力される。ＲＦＳＷ３の可動接点ａ３は固定接点ｂ３側に切り換えられていることから、固定接点ｂ３に入力されたＲＦ信号は可動接点ａ３を介してＲＦＳＷ３から出力されて、第４の高周波切換器（ＲＦＳＷ４）の固定接点ｃ４に入力される。そして、固定接点ｃ４に入力されたＲＦ信号は可動接点ａ４を介してＲＦＳＷ４から出力されて、出力端子（ＯＵＴＰＵＴ）から出力される。このようにして、ＡＭＰ１からＡＭＰ２に切り換えることができる。
【００１５】
また、現用機であるＡＭＰ１および予備機であるＡＭＰ２に共に故障が発生した場合や、ＡＭＰ１およびＡＭＰ２が動作不能となる停電時には、ユーザは入力端子に入力されたＲＦ信号がＡＭＰ１およびＡＭＰ２を迂回して出力端子から出力されるように切り換えるボタン等の操作子を操作する。これにより、切換信号が発生されてＲＦＳＷ１およびＲＦＳＷ４が切り換えられるようになる。すなわち、ＲＦＳＷ１の可動接点ａ１に入力されたＲＦ信号は切り換えられた固定接点ｂ１から出力されて、ＲＦＳＷ４の固定接点ｂ４に入力される。ＲＦＳＷ４の可動接点ａ４は固定接点ｂ４側に切り換えられていることから、固定接点ｂ４に入力されたＲＦ信号は可動接点ａ４を介してＲＦＳＷ４から出力されて、出力端子から出力される。このようにして、ＡＭＰ１およびＡＭＰ２を迂回したＲＦ信号が出力端子から出力されるようになる。
【００１６】
次に、第１の高周波切換器（ＲＦＳＷ１）ないし第４の高周波切換器（ＲＦＳＷ４）における第１実施例のラッチングリレー回路を図２に示す。
図２に示す第１実施例のラッチングリレー回路において、ラッチングリレー１０は１回路２接点の接点部１０ａと、第１の駆動コイルＭＧ１と第２の駆動コイルＭＧ２とを備える２巻線型とされている。第１の駆動コイルＭＧ１と第２の駆動コイルＭＧ２とは切換駆動パルス出力回路１１により駆動されている。例えば、切換駆動パルス出力回路１１から駆動パルス電圧が第１の駆動コイルＭＧ１に印加されると、接点部１０ａにおける可動接点ａは固定接点ｂ側へ切り換えられる。また、切換駆動パルス出力回路１１から駆動パルス電圧が第２の駆動コイルＭＧ２に印加されると、接点部１０ａにおける可動接点ａは固定接点ｃ側へ切り換えられる。
【００１７】
接点部１０ａにおける可動接点ａには直流カット用の第１コンデンサＣ１を介して端子Ｔ１が接続されており、固定接点ｂには直流カット用の第２コンデンサＣ２を介して端子Ｔ２が接続されており、固定接点ｃには直流カット用の第３コンデンサＣ３を介して端子Ｔ３が接続されている。これにより、切換駆動パルス出力回路１１から駆動パルス電圧が第１の駆動コイルＭＧ１に印加されると、可動接点ａは固定接点ｂ側へ切り換えられて、端子Ｔ１と端子Ｔ２とが高周波的に接続されるようになり、切換駆動パルス出力回路１１から駆動パルス電圧が第２の駆動コイルＭＧ２に印加されると、可動接点ａは固定接点ｃ側へ切り換えられて、端子Ｔ１と端子Ｔ３とが高周波的に接続されるようになる。このように、可動接点ａが固定接点ｂ側に切り換えられているのか固定接点ｃ側へ切り換えられているのかを検出するために、可動接点ａがＲＦ信号カット用の第１チョークコイルＣＨ１を介して直流抵抗検出回路１４に接続されていると共に、固定接点ｂはＲＦ信号カット用の第２チョークコイルＣＨ２を介して、固定接点ｃはＲＦ信号カット用の第３チョークコイルＣＨ３を介して直流抵抗検出回路１４に接続されている。
【００１８】
この場合、直流抵抗検出回路１４のＡ入力端子に可動接点ａがチョークコイルＣＨ１を介して接続され、Ｂ入力端子に固定接点ｂがチョークコイルＣＨ２を介して接続され、Ｃ入力端子に固定接点ｃがチョークコイルＣＨ３を介して接続されて、Ａ入力端子とＢ入力端子間に直流電圧を印加して、その電流値からＡ−Ｂ入力端子間の直流抵抗を直流抵抗検出回路１４で検出し、Ａ入力端子とＣ入力端子間に直流電圧を印加して、その電流値からＡ−Ｃ入力端子間の直流抵抗を直流抵抗検出回路１４で検出する。この場合、Ａ−Ｂ入力端子間の直流抵抗がほぼゼロでＡ−Ｃ入力端子間の直流抵抗がほぼ無限大と検出された場合は、ラッチングリレー１０は可動接点ａが固定接点ｂ側へ切り換えられているとのアンサーバック信号ＡＢが生成され、Ａ−Ｂ入力端子間の直流抵抗がほぼ無限大でＡ−Ｃ入力端子間の直流抵抗がほぼゼロと検出された場合は、ラッチングリレー１０は可動接点ａが固定接点ｃ側へ切り換えられているとのアンサーバック信号ＡＢが生成される。直流抵抗検出回路１４において生成されたアンサーバック信号ＡＢはＡＬＭ判定回路１３に供給される。この場合、直流抵抗検出回路１４は切り換える接点ａ，ｂ，ｃを直接監視しているので、信頼性の高いアンサーバック信号ＡＢを出力することができる。また、接点部１０ａは予備の接点を必要としないためラッチングリレー１０を小型化することができる。
【００１９】
ＡＬＭ判定回路１３はラッチングリレー回路の動作が異常状態の場合にアラーム（ＡＬＭ）を出力する回路であり、切換制御回路１２からの切換情報ＳＩも供給されている。そして、ＡＬＭ判定回路１３は切換制御回路１２からの切換情報ＳＩと直流抵抗検出回路１４からのアンサーバック信号ＡＢとが示すラッチングリレー１０の接点部１０ａの切換状態が一致している場合は正常と判定し、不一致の場合は異常と判定してＡＬＭ信号を出力する。なお、切換制御回路１２は、入力端子ＩＮに入力されたユーザ操作による切換信号を受けて、切換信号に応じた切換指令信号ＳＷを切換駆動パルス出力回路１１に供給すると共に、切換信号に応じた切換情報ＳＩをＡＬＭ判定回路１３に供給している。また、切換駆動パルス出力回路１１は、切換指令信号ＳＷに応じて第１の駆動コイルＭＧ１あるいは第２の駆動コイルＭＧ２に駆動パルス電圧を印加する。このように、図２に示すラッチングリレー回路においては、接点部１０ａの接点ａ，ｂ，ｃを直接監視することによりアンサーバック信号ＡＢを生成している。
【００２０】
また、ラッチングリレー回路における各部には充電電源１６でバックアップされた電源回路１５から電源が供給されており、停電時においては充電電源１６から各部へ電源が短時間ではあるが供給され続ける。このため、停電時においてもラッチングリレー回路を動作させて、ＡＭＰ１およびＡＭＰ２を迂回してＲＦ信号が出力端子から出力されるようにラッチングリレー１０を切り換えることができる。そして、充電電源１６が停止されても切り換えられたラッチングリレー１０の接点部１０ａはその接点の切換状態を維持するので、停電時間が長くても入力端子に入力されたＲＦ信号は途絶することなく出力端子から出力されるようになる。
【００２１】
次に、第１の高周波切換器（ＲＦＳＷ１）ないし第４の高周波切換器（ＲＦＳＷ４）における第２実施例のラッチングリレー回路を図３に示す。
図３に示す第２実施例のラッチングリレー回路において、ラッチングリレー２０は１回路２接点の接点部２０ａと、１つの駆動コイルＭＧとを備える１巻線型とされている。駆動コイルＭＧは切換駆動パルス出力回路２１により駆動されている。例えば、切換駆動パルス出力回路２１から駆動パルス電圧が第１の極性で駆動コイルＭＧに印加されると、可動接点ａは固定接点ｂ側へ切り換えられる。また、切換駆動パルス出力回路２１から駆動パルス電圧が反転した第２の極性で駆動コイルＭＧに印加されると、可動接点ａは固定接点ｃ側へ切り換えられる。このように、ラッチングリレー２０は駆動パルス電圧の極性に応じて可動接点ａが切り換わる切換動作となる。
【００２２】
接点部２０ａにおける可動接点ａには直流カット用の第１コンデンサＣ１を介して端子Ｔ１が接続されており、固定接点ｂには直流カット用の第２コンデンサＣ２を介して端子Ｔ２が接続されており、固定接点ｃには直流カット用の第３コンデンサＣ３を介して端子Ｔ３が接続されている。これにより、切換駆動パルス出力回路２１から駆動パルス電圧が第１の極性で駆動コイルＭＧに印加されると、可動接点ａは固定接点ｂ側へ切り換えられて、端子Ｔ１と端子Ｔ２とが高周波的に接続されるようになり、切換駆動パルス出力回路２１から駆動パルス電圧が第２の極性で駆動コイルＭＧに印加されると、可動接点ａは固定接点ｃ側へ切り換えられて、端子Ｔ１と端子Ｔ３とが高周波的に接続されるようになる。このように、可動接点ａが固定接点ｂ側に切り換えられているのか固定接点ｃ側へ切り換えられているのかを検出するために、接点部２０ａにおける可動接点ａがＲＦ信号カット用の第１チョークコイルＣＨ１を介して直流抵抗検出回路２４に接続されていると共に、固定接点ｂはＲＦ信号カット用の第２チョークコイルＣＨ２を介して、固定接点ｃはＲＦ信号カット用の第３チョークコイルＣＨ３を介して直流抵抗検出回路２４に接続されている。
【００２３】
この場合、直流抵抗検出回路２４のＡ入力端子に可動接点ａがチョークコイルＣＨ１を介して接続され、Ｂ入力端子に固定接点ｂがチョークコイルＣＨ２を介して接続され、Ｃ入力端子に固定接点ｃがチョークコイルＣＨ３を介して接続されて、Ａ入力端子とＢ入力端子間に直流電圧を印加して、その電流値からＡ−Ｂ入力端子間の直流抵抗を直流抵抗検出回路２４が検出し、Ａ入力端子とＣ入力端子間に直流電圧を印加して、その電流値からＡ−Ｃ入力端子間の直流抵抗を直流抵抗検出回路２４で検出する。この場合、Ａ−Ｂ入力端子間の直流抵抗がほぼゼロでＡ−Ｃ入力端子間の直流抵抗がほぼ無限大と検出された場合は、ラッチングリレー２０は可動接点ａが固定接点ｂ側へ切り換えられているとのアンサーバック信号ＡＢが生成され、Ａ−Ｂ入力端子間の直流抵抗がほぼ無限大でＡ−Ｃ入力端子間の直流抵抗がほぼゼロと検出された場合は、ラッチングリレー２０は可動接点ａが固定接点ｃ側へ切り換えられているとのアンサーバック信号ＡＢが生成される。直流抵抗検出回路２４において生成されたアンサーバック信号ＡＢはＡＬＭ判定回路２３に供給される。この場合、直流抵抗検出回路２４は切り換える接点ａ，ｂ，ｃを直接監視しているので、信頼性の高いアンサーバック信号ＡＢを出力することができる。また、接点部２０ａは予備の接点を必要としないためラッチングリレー２０を小型化することができる。
【００２４】
ＡＬＭ判定回路２３はラッチングリレー回路の動作が異常状態の場合にアラーム（ＡＬＭ）を出力する回路であり、切換制御回路２２からの切換情報ＳＩも供給されている。そして、ＡＬＭ判定回路２３は切換制御回路２２からの切換情報ＳＩと直流抵抗検出回路２４からのアンサーバック信号ＡＢとが示すラッチングリレー２０の接点部２０ａの切換状態が一致している場合は正常と判定し、不一致の場合は異常と判定してＡＬＭ信号を出力する。なお、切換制御回路２２は、入力端子ＩＮに入力されたユーザ操作による切換信号を受けて、切換信号に応じた切換指令信号ＳＷを切換駆動パルス出力回路２１に供給すると共に、切換信号に応じた切換情報ＳＩをＡＬＭ判定回路２３に供給している。また、切換駆動パルス出力回路２１は、切換指令信号ＳＷに応じた極性のパルス電圧を駆動コイルＭＧに印加する。このように、図３に示すラッチングリレー回路においては、接点部２０ａの接点ａ，ｂ，ｃを直接監視することによりアンサーバック信号ＡＢを生成している。
【００２５】
また、ラッチングリレー回路における各部には充電電源２６でバックアップされた電源回路２５から電源が供給されており、停電時においては充電電源２６から各部へ電源が短時間ではあるが供給され続ける。このため、停電時においてもラッチングリレー回路を動作させて、ＡＭＰ１およびＡＭＰ２を迂回してＲＦ信号が出力端子から出力されるようにラッチングリレー２０を切り換えることができる。そして、充電電源２６が停止されても切り換えられたラッチングリレー２０の接点部２０ａはその接点の切換状態を維持するので、停電時間が長くても入力端子に入力されたＲＦ信号は途絶することなく出力端子から出力されるようになる。
【産業上の利用可能性】
【００２６】
以上説明した本発明のラッチングリレー回路が適用されたＲＦ増幅装置において、ＡＭＰ１およびＡＭＰ２を双方向増幅器としてもよい。また、本発明にかかるラッチングリレー回路においては、ＲＦ信号を切り換える接点に直流を重畳させ、その電流値から接点間の内部抵抗を算出して、接点間が導通状態か開放状態かを直流抵抗検出回路で判定している。このように、ラッチングリレーの接点の切換状態を直接電気的に監視していることから、従来の予備接点を使う場合に比べて信親性が増すと共に、接点部が１回路でよいことから小型安価なラッチングリレーとすることができる。
【符号の説明】
【００２７】
１  ＲＦ増幅装置、１０  ラッチングリレー、１０ａ  接点部、１１  切換駆動パルス出力回路、１２  切換制御回路、１３  ＡＬＭ判定回路、１４  直流抵抗検出回路、１５  電源回路、１６  充電電源、２０  ラッチングリレー、２０ａ  接点部、２１  切換駆動パルス出力回路、２２  切換制御回路、２３  ＡＬＭ判定回路、２４  直流抵抗検出回路、２５  電源回路、２６  充電電源、１１０  ラッチングリレー、１１０ａ  接点部、１１１  切換駆動パルス出力回路、１１２  切換制御回路、１１３  ＡＬＭ判定回路、１１４  直流抵抗検出回路、１１５  電源回路、１１６  充電電源、ＭＧ，ＭＧ１，ＭＧ２  駆動コイル、Ｔ１，Ｔ２，Ｔ３  端子
【図１】
2011049081.tif 000003
【図２】
2011049081.tif 000004
【図３】
2011049081.tif 000005
【図４】
2011049081.tif 000006